【事件の表示】
　平成１０年特許願第２６０５０２号「アイテムを購入する注文方法及びサーバ・システム」拒絶査定に対する審判事件［平成１１年　６月１８日出願公開、特開平１１−１６１７１７］について、次のとおり審決する。
【結　論】
　本件審判の請求は、成り立たない。
【理　由】
１．手続の経緯
　本件審判請求に係る出願は、平成１０年９月１４日（パリ条約による優先権主張１９９７年９月１２日、米国）の出願であって、平成１０年１１月１６日付の翻訳文提出書により外国語明細書及び外国語図面の翻訳文が提出され、平成１２年１１月１０日付の拒絶理由通知に対して、その指定期間内である平成１３年５月１７日付で意見書が提出されるとともに手続補正がなされたが、平成１３年１１月１日付で拒絶査定がなされた。
　そして、この拒絶の査定を不服として、平成１４年２月４日に審判請求がなされるとともに特許法第１７条の２第１項第３号の規定する期間内である平成１４年３月６日付で手続補正がなされたものである。
　
２．平成１４年３月６日付の手続補正について
　
［補正却下の決定の結論］
　平成１４年３月６日付の手続補正を却下する。
　
［理由］
（１）本件手続補正
　平成１４年３月６日付の手続補正（以下、「本件手続補正」という。）は、平成１３年５月１７日付け手続補正により補正された特許請求の範囲（以下、「補正前の特許請求の範囲」という。）を、次のとおり補正することを含むものである。以下、本件手続補正で補正された特許請求の範囲を「補正後の特許請求の範囲」という。
（補正前の特許請求の範囲）
【請求項１】　クライアント・システムを使用してアイテムを購入する注文方法であって、
　前記クライアント・システムのクライアント識別子をサーバ・システムから受信し、
　前記クライアント・システムで前記クライアント識別子を永続的にストアし、
　前記アイテムを特定する情報を表示するとともに、前記特定されたアイテムを注文するのに実行すべきシングル・アクションの指示部分を表示し、かつ、
　前記シングル・アクションが実行されることに応答して前記特定されたアイテムの注文要求をサーバ・システムに送信し、かつ、前記クライアント識別子を自動的に送信することにより、
　ユーザが前記アイテムの注文時に前記クライアント識別子を入力しないことを特徴とするアイテムを購入する注文方法。
　
【請求項２】　前記サーバ・システムの前記要求に従って送られる前記クライアント識別子を使用して前記アイテムの注文に必要な追加情報を特定することを特徴とする請求項１に記載のアイテムを購入する注文方法。
　
【請求項３】　前記クライアント・システムと前記サーバ・システムはインターネット経由で通信することを特徴とする請求項１又は２に記載のアイテムを購入する注文方法。
　
【請求項４】　前記表示は、前記サーバ・システムによって提供されるＨＴＭＬドキュメントの表示を含むことを特徴とする請求項１乃至３いずれかに記載のアイテムを購入する注文方法。
　
【請求項５】　前記注文が生成されたことの確認を前記サーバ・システムから前記クライアント・システムに送信することを特徴とする請求項１乃至４いずれかに記載のアイテムを購入する注文方法。
　
【請求項６】　前記シングル・アクションは、カーソルが前記表示された情報の事前定義エリア上に位置するときにマウス・ボタンをクリックすることを特徴とする請求項１乃至５いずれかに記載のアイテムを購入する注文方法。
　
【請求項７】　前記シングル・アクションは、ユーザによって生成されるサウンドであることを特徴とする請求項１乃至５いずれかに記載のアイテムを購入する注文方法。
　
【請求項８】　前記シングル・アクションは、テレビジョン・リモート・コントロールを使用して選択することを特徴とする請求項１乃至５いずれかに記載のアイテムを購入する注文方法。
　
【請求項９】　前記シングル・アクションは、キーパッドのキーを押下することを特徴とする請求項１乃至５いずれかに記載のアイテムを購入する注文方法。
　
【請求項１０】　前記シングル・アクションは、ポインティング・デバイスを使用して選択することを特徴とする請求項１乃至５いずれかに記載のアイテムを購入する注文方法。
　
【請求項１１】　前記シングル・アクションは、表示された指示部分の選択であることを特徴とする請求項１乃至５いずれかに記載のアイテムを購入する注文方法。
　
【請求項１２】　前記表示は、前記クライアントシステムのユーザの同一性に関して前記サーバ・システムから与えられた部分的情報の表示を含むことを特徴とする請求項１乃至１１いずれかに記載のアイテムを購入する注文方法。
　
【請求項１３】　前記表示は、前記サーバ・システムから与えられた部分的出荷情報の表示を含むことを特徴とする請求項１乃至１２いずれかに記載のアイテムを購入する注文方法。
　
【請求項１４】　前記表示は、前記サーバ・システムから与えられた部分的支払い情報の表示を含むことを特徴とする請求項１乃至１３いずれかに記載のアイテムを購入する注文方法。
　
【請求項１５】　前記表示は、前記クライアント・システムのユーザの出荷アドレスを特定する別名（moniker）の表示を含むことを特徴とする請求項１乃至１４いずれかに記載のアイテムを購入する注文方法。
　
【請求項１６】　前記アイテムは、ショッピング・カート・モデルとは別に注文されることを特徴とする請求項１乃至１５いずれかに記載のアイテムを購入する注文方法。
　
【請求項１７】　前記アイテムは、ショッピング・カート・モデルを使用せずに注文されることを特徴とする請求項１乃至１６いずれかに記載のアイテムを購入する注文方法。
　
【請求項１８】　前記表示は、前記アイテムを後に注文するアイテムのコレクションに追加する指示部分の表示を含むことを特徴とする請求項１乃至１７いずれかに記載のアイテムを購入する注文方法。
　
【請求項１９】　前記後に注文するアイテムのコレクションに前記アイテムを追加する指示部分の選択に応答して、前記コレクションに前記アイテムを追加する要求をサーバ・システムに送ることを特徴とする請求項１８に記載のアイテムを購入する注文方法。
　
【請求項２０】　前記情報および前記各指示部分は同時に表示されることを特徴とする請求項１８又は１９に記載のアイテムを購入する注文方法。
　
【請求項２１】　前記アイテムのコレクションは、ショッピング・カート・モデルに基づくことを特徴とする請求項１８又は１９に記載のアイテムを購入する注文方法。
　
【請求項２２】　前記注文は、如何なる追加情報のユーザ入力も含まないことを特徴とする請求項１乃至２１いずれかに記載のアイテムを購入する注文方法。
　
【請求項２３】　前記追加情報はデリバリー情報を含むことを特徴とする請求項２２に記載のアイテムを購入する注文方法。
　
【請求項２４】　前記サーバ・システムは前記デリバリー情報をストアすることを特徴とする請求項２３に記載のアイテムを購入する注文方法。
　
【請求項２５】　前記デリバリー情報は、前記クライアント・システムのユーザから予め収集されたことを特徴とする請求項２４に記載のアイテムを購入する注文方法。
　
【請求項２６】　前記追加情報は支払情報を含むことを特徴とする請求項２３に記載のアイテムを購入する注文方法。
　
【請求項２７】　前記サーバ・システムは前記支払情報をストアすることを特徴とする請求項２６に記載のアイテムを購入する注文方法。
　
【請求項２８】　前記支払情報は、前記クライアント・システムのユーザから予め収集されたことを特徴とする請求項２７に記載のアイテムを購入する注文方法。
　
【請求項２９】　前記ユーザから出荷アドレスを検証するための指示命令を受けたことに応じて、前記ユーザが前記出荷アドレスを変更することができるための情報を表示することを特徴とする請求項１乃至２８いずれかに記載のアイテムを購入する注文方法。
　
【請求項３０】　前記ユーザが前記出荷アドレスを変更することができるための情報を表示する前に、前記ユーザにログインを要求することを特徴とする請求項１乃至２９いずれかに記載のアイテムを購入する注文方法。
　
【請求項３１】　前記特定されたアイテムの注文要求をサーバ・システムに送信した後に、前記アイテムを特定する情報と前記注文が生成されたときの確認とを表示することを特徴とする請求項１乃至３０いずれかに記載のアイテムを購入する注文方法。
　
【請求項３２】　前記注文が生成されたときの前記確認は、前記特定されたアイテムの注文が実行されるシングル・アクションの表示された指示部分に取って代わることを特徴とする請求項３１に記載のアイテムを購入する注文方法。
　
【請求項３３】　実行されるシングル・アクションの表示された指示部分は、ボタンであることを特徴とする請求項３２に記載のアイテムを購入する注文方法。
　
【請求項３４】　前記特定されたアイテムの注文が実行されるシングル・アクションの指示部分は、前記サーバ・システムが前記特定されたアイテムの注文のために十分な情報を有しているときに自動的に表示されることを特徴とする請求項１乃至３３いずれかに記載のアイテムを購入する注文方法。
　
【請求項３５】　前記特定されたアイテムの注文が実行されるシングル・アクションの指示部分は、前記ユーザがシングルアクション注文を可能にするために指し示した後にのみ表示されることを特徴とする請求項１乃至３３いずれかに記載のアイテムを購入する注文方法。
　
【請求項３６】　前記特定されたアイテムの注文が実行されるシングル・アクションの指示部分を表示する前に、前記アイテムを特定する情報に従ってシングルアクション注文を可能にする指示部分を表示することを特徴とする請求項３５に記載のアイテムを購入する注文方法。
　
【請求項３７】　前記シングルアクション注文を可能にする指示部分は、シングルアクション可能ボタンであることを特徴とする請求項３６に記載のアイテムを購入する注文方法。
　
【請求項３８】　前記シングルアクション可能ボタンは、シングルアクション注文ボタンに置き換えられ、前記シングルアクション注文ボタンの選択は、実行される前記シングルアクションであることを特徴とする請求項３７に記載のアイテムを購入する注文方法。
　
【請求項３９】　前記サーバ・システムは、複数のアイテムの注文要求を１つの注文に結合することを特徴とする請求項１乃至３８いずれかに記載のアイテムを購入する注文方法。
　
【請求項４０】　要求は一定の時間間隔で送信される度に結合されることを特徴とする請求項３９に記載のアイテムを購入する注文方法。
　
【請求項４１】　要求は９０分間隔で送信される度に結合されることを特徴とする請求項３９に記載のアイテムを購入する注文方法。
　
【請求項４２】　前記サーバ・システムが前記要求を受信した後に、前記要求は、ショッピング・カート・モデルを介して注文されたアイテムを含む注文にける前記特定されたアイテムを含めることを特徴とする請求項１乃至４１いずれかに記載のアイテムを購入する注文方法。
　
【請求項４３】　前記サーバ・システムが前記要求を受信した後に、前記要求は、同様の有用性で他のアイテムの注文にける前記特定されたアイテムを含めることを特徴とする請求項１乃至４２いずれかに記載のアイテムを購入する注文方法。
　
【請求項４４】　有用性は、短期間または長期間として類別されることを特徴とする請求項４３に記載のアイテムを購入する注文方法。
　
【請求項４５】　有用性は、短期間、中間の期間または長期間として類別されることを特徴とする請求項４３に記載のアイテムを購入する注文方法。
　
【請求項４６】　注文を生成するサーバ・システムであって、
　クライアント・システムにクライアント識別子を送信するコンポーネントであって、各々のクライアント識別子は、クライアント・システムの永続的記憶媒体にあって、クライアント・システムを特定するコンポーネントと、
　複数のユーザに関する情報をストアしているデータ記憶媒体と、
　前記複数のユーザの中の１ユーザの指示命令を含み、クライアント識別子を含み、かつ、前記クライアント・システムで実行されたシングル・アクションに応答して送られるアイテムの注文要求を受信する受信コンポーネントと、
　アイテムを注文したユーザの情報を前記データ記憶媒体から検索し、該検索した情報を使用して前記アイテムを注文したユーザのために前記アイテムの注文を出すことにより、前記アイテムを注文したユーザが前記サーバ・システムにログインして注文を出す必要のない発注コンポーネントと
　を備えたことを特徴とするサーバ・システム。
　
【請求項４７】　「ショッピング・カートへの追加」アクションの実行に応答して、前記サーバ・システムによって送られる要求を受信して前記アイテムをショッピング・カートに追加するショッピング・カート発注コンポーネントを含むことを特徴とする請求項４６に記載のサーバ・システム。
　
【請求項４８】　前記クライアント・システムと、当該サーバ・システムとはインターネット経由で通信することを特徴とする請求項４６又は４７に記載のサーバ・システム。
　
【請求項４９】　注文が出されたことの確認を前記クライアント・システムに送る確認コンポーネントを含むことを特徴とする請求項４６、４７又は４８いずれかに記載のサーバ・システム。
　
【請求項５０】　前記クライアント・システムにＨＴＭＬドキュメントを提供する表示コンポーネントであって、前記アイテムの識別文字と、命令とを表示する前記ＨＴＭＬドキュメントが該アイテムのシングル・アクション発注の仕方を示すものであることを特徴とする請求項４６乃至４９いずれかに記載のサーバ・システム。
　
【請求項５１】　前記命令は、表示された情報の所定エリアを超えてカーソルが位置決めされるときにマウス・ボタンをクリックすることを特徴とする請求項５０に記載のサーバ・システム。
　
【請求項５２】　前記命令は、ユーザがサウンドを発生させることを特徴とする請求項５０に記載のサーバ・システム。
　
【請求項５３】　前記命令は、テレビジョン・リモート・コントロールを使用して選択することを特徴とする請求項５０に記載のサーバ・システム。
　
【請求項５４】　前記命令は、キーパッド上のキーを押下することを特徴とする請求項５０に記載のサーバ・システム。
　
【請求項５５】　前記命令は、ポインティング・デバイスを使用して選択することを特徴とする請求項５０に記載のサーバ・システム。
　
【請求項５６】　前記命令は、表示された指示部分を選択することを特徴とする請求項５０に記載のサーバ・システム。
　
【請求項５７】　前記表示は、前記クライアント・システムのユーザの識別に関する部分的情報の表示を含むことを特徴とする請求項５０に記載のサーバ・システム。
　
【請求項５８】　前記表示は、部分的な出荷情報の表示を含むことを特徴とする請求項５０に記載のサーバ・システム。
　
【請求項５９】　前記表示は、部分的な支払情報の表示を含むことを特徴とする請求項５０に記載のサーバ・システム。
　
【請求項６０】　前記表示は、カストマの出荷アドレスを識別する別名の表示を含むことを特徴とする請求項５０に記載のサーバ・システム。
　
【請求項６１】　前記表示は、後に発注するアイテムのコレクションに当該アイテムを追加する指示部分の表示を含むことを特徴とする請求項５０乃至６０いずれかに記載のサーバ・システム。
　
【請求項６２】　前記後に発注するコレクションに前記アイテムを追加する指示部分の選択に応答して、該コレクションに該アイテムを追加する要求を受けるショッピング・カート・コンポーネントを含むことを特徴とする請求項６１に記載のサーバ・システム。
　
【請求項６３】　前記アイテムの識別文字と、命令と、前記アイテムを前記コレクションに追加する指示部分とは、同時に表示されることを特徴とする請求項６１又は６２に記載のサーバ・システム。
　
【請求項６４】　前記コレクションは、ショッピング・カート・モデルに基づくことを特徴とする請求項６１又は６２に記載のサーバ・システム。
　
【請求項６５】　前記注文は、ショッピング・カート・モデルとは別に発生することを特徴とする請求項４６乃至６４いずれかに記載のサーバ・システム。
　
【請求項６６】　前記注文は、ショッピング・カート・モデルを使わずに発生することを特徴とする請求項４６乃至６４いずれかに記載のサーバ・システム。
　
【請求項６７】　ユーザによって入力される如何なる追加情報も受信しないことを特徴とする請求項４６乃至６４いずれかに記載のサーバ・システム。
　
【請求項６８】　前記追加情報はデリバリー情報を含むことを特徴とする請求項６７に記載のサーバ・システム。
　
【請求項６９】　前記デリバリー情報をストアすることを特徴とする請求項６８に記載のサーバ・システム。
　
【請求項７０】　前記デリバリー情報は、前記クライアント・システムから予め収集されたことを特徴とする請求項６８又は６９に記載のサーバ・システム。
　
【請求項７１】　前記追加情報は支払情報をストアすることを特徴とする請求項６８乃至７０いずれかに記載のサーバ・システム。
　
【請求項７２】　前記支払情報をストアすることを特徴とする請求項７１に記載のサーバ・システム。
　
【請求項７３】　前記支払情報は、前記クライアント・システムのユーザから予め収集されたことを特徴とする請求項７１又は７２に記載のサーバ・システム。
　
【請求項７４】　前記ユーザから出荷アドレスを検証するための指示命令を受けたことに応じて、前記ユーザが前記出荷アドレスを変更することができるためのウェブページを前記クライアント・システムに送信するコンポーネントを含むことを特徴とする請求項４６乃至７３いずれかに記載のサーバ・システム。
　
【請求項７５】　前記ユーザが前記出荷アドレスを変更することができるための情報を表示する前に、前記ユーザにログインを要求することを特徴とする請求項４６乃至７４いずれかに記載のサーバ・システム。
　
【請求項７６】　前記特定されたアイテムの注文要求をサーバ・システムに送信した後に、前記アイテムを特定するウェブページと前記注文が生成されたときの確認とを前記クライアント・システムに送信することを特徴とする請求項４６乃至７５いずれかに記載のサーバ・システム。
　
【請求項７７】　前記注文が生成されたときの前記確認は、前記特定されたアイテムの注文が実行されるシングル・アクションの表示された指示部分に取って代わることを特徴とする請求項７６に記載のサーバ・システム。
　
【請求項７８】　実行されるシングル・アクションの表示された指示部分は、ボタンであることを特徴とする請求項７７に記載のサーバ・システム。
　
【請求項７９】　前記サーバ・システムが前記特定されたアイテムの注文のために十分な情報を有しているときに自動的にシングル・アクション注文を可能にするコンポーネントを含むことを特徴とする請求項４６乃至７８いずれかに記載のサーバ・システム。
　
【請求項８０】　前記ユーザがシングルアクション注文を可能にするために指し示した後にのみシングル・アクション注文を可能にするコンポーネントを含むことを特徴とする請求項４６乃至７９いずれかに記載のサーバ・システム。
　
【請求項８１】　シングル・アクション注文が可能でないときに、前記アイテムを特定する情報とシングル・アクション注文を可能にする指示部分と共にウェブページを前記クライアント・システムに送信するコンポーネントを含むことを特徴とする請求項８０に記載のサーバ・システム。
　
【請求項８２】　前記シングルアクション注文を可能にする指示部分は、シングルアクション可能ボタンであることを特徴とする請求項８１に記載のサーバ・システム。
　
【請求項８３】　前記シングルアクション可能ボタンは、シングルアクション注文ボタンに置き換えられ、前記シングルアクション注文ボタンの選択は、実行される前記シングルアクションであることを特徴とする請求項８２に記載のサーバ・システム。
　
【請求項８４】　前記サーバ・システムは、複数のアイテムの注文要求を１つの注文に結合することを特徴とする請求項４６乃至８３いずれかに記載のサーバ・システム。
　
【請求項８５】　要求は一定の時間間隔で送信される度に結合されることを特徴とする請求項８４に記載のサーバ・システム。
　
【請求項８６】　要求は９０分間隔で送信される度に結合されることを特徴とする請求項８４に記載のサーバ・システム。
　
【請求項８７】　前記サーバ・システムが前記要求を受信した後に、前記要求は、ショッピング・カート・モデルを介して注文されたアイテムを含む注文にける前記特定されたアイテムを含めることを特徴とする請求項４６乃至８６いずれかに記載のサーバ・システム。
　
【請求項８８】　前記サーバ・システムが前記要求を受信した後に、前記要求は、同様の有用性で他のアイテムの注文にける前記特定されたアイテムを含めることを特徴とする請求項４６乃至８７いずれかに記載のサーバ・システム。
　
【請求項８９】　有用性は、短期間または長期間として類別されることを特徴とする請求項８８に記載のサーバ・システム。
　
【請求項９０】　有用性は、短期間、中間の期間または長期間として類別されることを特徴とする請求項８８に記載のサーバ・システム。
　
【請求項９１】　クライアント・システムを使用してアイテムを注文するコンピュータ・システムを制御する命令を含むコンピュータが読み取り可能な記録媒体あって、
　前記クライアント・システムのクライアント識別子をサーバ・システムから受信し、
　前記クライアント・システムで前記クライアント識別子を永続的にストアし、
　前記アイテムを特定する情報を表示するとともに、前記特定されたアイテムを注文するのに実行すべきシングル・アクションの指示部分を表示し、かつ、
　前記シングル・アクションが実行されることに応答して前記特定されたアイテムの注文要求をサーバ・システムに送信し、かつ、前記クライアント識別子を自動的に送信することにより、
　ユーザが前記アイテムの注文時に前記クライアント識別子を入力しないことを特徴とするコンピュータが読み取り可能な記録媒体。
　
【請求項９２】　前記サーバ・システムの前記要求に従って送られる前記クライアント識別子を使用して前記アイテムの注文に必要な追加情報を特定することを特徴とする請求項９１に記載のコンピュータが読み取り可能な記録媒体。
　
【請求項９３】　前記クライアント・システムと前記サーバ・システムはインターネット経由で通信することを特徴とする請求項９１又は９２に記載のコンピュータが読み取り可能な記録媒体。
　
【請求項９４】　前記表示は、前記サーバ・システムによって提供されるＨＴＭＬドキュメントの表示を含むことを特徴とする請求項９１乃至９３いずれかに記載のコンピュータが読み取り可能な記録媒体。
　
【請求項９５】　前記注文が生成されたことの確認を前記サーバ・システムから前記クライアント・システムに送信することを特徴とする請求項９１乃至９４いずれかに記載のコンピュータが読み取り可能な記録媒体。
【請求項９６】　前記シングル・アクションは、カーソルが前記表示された情報の事前定義エリア上に位置するときにマウス・ボタンをクリックすることを特徴とする請求項９１乃至９５いずれかに記載のコンピュータが読み取り可能な記録媒体。
　
【請求項９７】　前記ユーザから出荷アドレスを検証するための指示命令を受けたことに応じて、前記ユーザが前記出荷アドレスを変更することができるための情報を表示することを特徴とする請求項９１乃至９６いずれかに記載のコンピュータが読み取り可能な記録媒体。
　
【請求項９８】　前記ユーザが前記出荷アドレスを変更することができるための情報を表示する前に、前記ユーザにログインを要求することを特徴とする請求項９１乃至９７いずれかに記載のコンピュータが読み取り可能な記録媒体。
　
【請求項９９】　前記特定されたアイテムの注文要求をサーバ・システムに送信した後に、前記アイテムを特定する情報と前記注文が生成されたときの確認とを表示することを特徴とする請求項９１乃至９８いずれかに記載のコンピュータが読み取り可能な記録媒体。
　
【請求項１００】　前記注文が生成されたときの前記確認は、前記特定されたアイテムの注文が実行されるシングル・アクションの表示された指示部分に取って代わることを特徴とする請求項９９に記載のコンピュータが読み取り可能な記録媒体。
　
【請求項１０１】　実行されるシングル・アクションの表示された指示部分は、ボタンであることを特徴とする請求項１００に記載のコンピュータが読み取り可能な記録媒体。
　
【請求項１０２】　前記特定されたアイテムの注文が実行されるシングル・アクションの指示部分は、前記サーバ・システムが前記特定されたアイテムの注文のために十分な情報を有しているときに自動的に表示されることを特徴とする請求項９１乃至１０１いずれかに記載のコンピュータが読み取り可能な記録媒体。
　
【請求項１０３】　前記特定されたアイテムの注文が実行されるシングル・アクションの指示部分は、前記ユーザがシングルアクション注文を可能にするために指し示した後にのみ表示されることを特徴とする請求項９１乃至１０１いずれかに記載のコンピュータが読み取り可能な記録媒体。
　
【請求項１０４】　前記特定されたアイテムの注文が実行されるシングル・アクションの指示部分を表示する前に、前記アイテムを特定する情報に従ってシングルアクション注文を可能にする指示部分を表示することを特徴とする請求項１０３に記載のコンピュータが読み取り可能な記録媒体。
　
【請求項１０５】　前記シングルアクション注文を可能にする指示部分は、シングルアクション可能ボタンであることを特徴とする請求項１０３に記載のコンピュータが読み取り可能な記録媒体。
　
【請求項１０６】　前記シングルアクション可能ボタンは、シングルアクション注文ボタンに置き換えられ、前記シングルアクション注文ボタンの選択は、実行される前記シングルアクションであることを特徴とする請求項１０５に記載のコンピュータが読み取り可能な記録媒体。
　
【請求項１０７】　前記サーバ・システムは、複数のアイテムの注文要求を１つの注文に結合することを特徴とする請求項９１乃至１０６いずれかに記載のコンピュータが読み取り可能な記録媒体。
　
【請求項１０８】　要求は一定の時間間隔で送信される度に結合されることを特徴とする請求項１０７に記載のコンピュータが読み取り可能な記録媒体。
　
【請求項１０９】　要求は９０分間隔で送信される度に結合されることを特徴とする請求項１０７に記載のコンピュータが読み取り可能な記録媒体。
　
【請求項１１０】　前記サーバ・システムが前記要求を受信した後に、前記要求は、ショッピング・カート・モデルを介して注文されたアイテムを含む注文にける前記特定されたアイテムを含めることを特徴とする請求項９１乃至１０７いずれかに記載のコンピュータが読み取り可能な記録媒体。
　
【請求項１１１】　前記サーバ・システムが前記要求を受信した後に、前記要求は、同様の有用性で他のアイテムの注文にける前記特定されたアイテムを含めることを特徴とする請求項９１乃至１０７いずれかに記載のコンピュータが読み取り可能な記録媒体。
　
【請求項１１２】　有用性は、短期間または長期間として類別されることを特徴とする請求項１１１に記載のコンピュータが読み取り可能な記録媒体。
　
【請求項１１３】　有用性は、短期間、中間の期間または長期間として類別されることを特徴とする請求項１１１に記載のコンピュータが読み取り可能な記録媒体。
　
　
（補正後の特許請求の範囲）
【請求項１】　クライアント・システムを使用してアイテムを購入する注文方法であって、
　前記クライアント・システムのクライアント識別子をサーバ・システムから受信し、
　前記クライアント・システムで前記クライアント識別子を永続的にストアし、
　前記アイテムを特定する情報を表示するとともに、前記特定されたアイテムを注文するのに実行すべきシングル・アクションの指示部分を表示し、かつ、
　前記シングル・アクションが実行されることに応答して、前記特定されたアイテムの注文要求を前記サーバ・システムに送信し、かつ、ユーザによって予め与えられた出荷情報と支払い情報とを特定する前記クライアント識別子を自動的に送信することにより、
　前記ユーザが前記アイテムの注文時に前記サーバ・システムにログインする必要がなく、前記予め与えられた出荷情報と支払い情報とを変更する時に前記サーバ・システムにログインする必要があることを特徴とするアイテムを購入する注文方法。
　
【請求項２】　前記クライアント・システムと前記サーバ・システムはインターネット経由で通信することを特徴とする請求項１に記載のアイテムを購入する注文方法。
　
【請求項３】　前記注文が生成されたことの確認を前記サーバ・システムから前記クライアント・システムに送信することを特徴とする請求項１または２に記載のアイテムを購入する注文方法。
　
【請求項４】　前記シングル・アクションは、カーソルが前記表示された情報の事前定義エリア上に位置するときにマウス・ボタンをクリックすることを特徴とする請求項１、２または３に記載のアイテムを購入する注文方法。
　
【請求項５】　前記表示は、前記クライアントシステムのユーザの同一性に関して前記サーバ・システムから与えられた部分的情報の表示を含むことを特徴とする請求項１乃至４のいずれかに記載のアイテムを購入する注文方法。
　
【請求項６】　前記表示は、前記サーバ・システムから与えられた部分的出荷情報の表示を含むことを特徴とする請求項１乃至５のいずれかに記載のアイテムを購入する注文方法。
　
【請求項７】　前記表示は、前記サーバ・システムから与えられた部分的支払い情報の表示を含むことを特徴とする請求項１乃至６のいずれかに記載のアイテムを購入する注文方法。
　
【請求項８】　前記アイテムは、ショッピング・カート・モデルを使用して代替的に注文できることを特徴とする請求項１乃至７のいずれかに記載のアイテムを購入する注文方法。
　
【請求項９】　前記注文は、如何なる追加情報のユーザ入力も含まないことを特徴とする請求項１乃至８のいずれかに記載のアイテムを購入する注文方法。
　
【請求項１０】　前記特定されたアイテムの注文が実行されるシングル・アクションの指示部分は、前記サーバ・システムが前記特定されたアイテムの注文のために十分な情報を有しているときに自動的に表示されることを特徴とする請求項１乃至９のいずれかに記載のアイテムを購入する注文方法。
　
【請求項１１】　前記特定されたアイテムの注文が実行されるシングル・アクションの指示部分は、前記ユーザがシングルアクション注文を可能にするために指し示した後にのみ表示されることを特徴とする請求項１乃至１０のいずれかに記載のアイテムを購入する注文方法。
　
【請求項１２】　前記特定されたアイテムの注文が実行されるシングル・アクションの指示部分を表示する前に、前記アイテムを特定する情報に従ってシングルアクション注文を可能にする指示部分を表示することを特徴とする請求項１１に記載のアイテムを購入する注文方法。
　
【請求項１３】　前記サーバ・システムは、複数のアイテムの注文要求を１つの注文に結合することを特徴とする請求項１乃至１２のいずれかに記載のアイテムを購入する注文方法。
　
【請求項１４】　要求は一定の時間間隔で送信される度に結合されることを特徴とする請求項１３に記載のアイテムを購入する注文方法。
　
【請求項１５】　要求は９０分間隔で送信される度に結合されることを特徴とする請求項１３に記載のアイテムを購入する注文方法。
　
【請求項１６】　前記サーバ・システムが前記要求を受信した後に、前記要求は、同様の有用性で他のアイテムの注文における前記特定されたアイテムを含めることを特徴とする請求項１乃至１５のいずれかに記載のアイテムを購入する注文方法。
　
【請求項１７】　有用性は、短期間または長期間として類別されることを特徴とする請求項１６に記載のアイテムを購入する注文方法。
　
【請求項１８】　有用性は、短期間、中間の期間または長期間として類別されることを特徴とする請求項１６に記載のアイテムを購入する注文方法。
　
【請求項１９】　注文を生成するサーバ・システムであって、
　クライアント・システムにクライアント識別子を送信するコンポーネントであって、各々のクライアント識別子は、クライアント・システムの永続的記憶媒体にあって、クライアント・システムを特定するコンポーネントと、
　各々の前記クライアント識別子について出荷情報と支払い情報とをストアしているデータ記憶媒体と、
　クライアント識別子を含み、かつ、前記クライアント・システムで実行されたシングル・アクションに応答して送られるアイテムの注文要求を受信する受信コンポーネントと、
　受信したクライアント識別子について出荷情報と支払い情報とを前記データ記憶媒体から検索し、該検索した出荷情報と支払い情報とを使用して前記アイテムのために注文を出すことにより、クライアント・システムのユーザが前記サーバ・システムにログインして注文を出す必要がなく、出荷情報と支払い情報とを変更する時に前記サーバ・システムにログインする必要がある発注コンポーネントと
　を備えたことを特徴とするサーバ・システム。
　
【請求項２０】　「ショッピング・カートへの追加」アクションの実行に応答して、クライアント・システムによって送られる要求を受信して前記アイテムをショッピング・カートに追加するショッピング・カート発注コンポーネントを含むことを特徴とする請求項１９に記載のサーバ・システム。
　
【請求項２１】　前記クライアント・システムと、当該サーバ・システムとはインターネット経由で通信することを特徴とする請求項１９又は２０に記載のサーバ・システム。
　
【請求項２２】　前記シングル・アクションは、表示の所定エリアを超えてカーソルが位置決めされるときにマウス・ボタンをクリックすることを特徴とする請求項１９、２０または２１に記載のサーバ・システム。
　
【請求項２３】　クライアント・システムで表示する部分的な出荷情報を送信するコンポーネントを含むことを特徴とする請求項１９乃至２２のいずれかにに記載のサーバ・システム。
　
【請求項２４】　クライアント・システムで表示する部分的な支払情報を送信するコンポーネントを含むことを特徴とする請求項１９乃至２３のいずれかにに記載のサーバ・システム。
　
【請求項２５】　前記サーバ・システムが前記特定されたアイテムの注文のために十分な情報を有しているときに自動的にシングル・アクション注文を可能にするコンポーネントを含むことを特徴とする請求項１９乃至２４のいずれかに記載のサーバ・システム。
　
【請求項２６】　前記ユーザがシングルアクション注文を可能にするために指し示した後にのみシングル・アクション注文を可能にするコンポーネントを含むことを特徴とする請求項１９乃至２４のいずれかに記載のサーバ・システム。
　
【請求項２７】　前記サーバ・システムは、複数のアイテムの注文要求を１つの注文に結合することを特徴とする請求項１９乃至２６のいずれかに記載のサーバ・システム。
　
【請求項２８】　要求は一定の時間間隔で送信される度に結合されることを特徴とする請求項２７に記載のサーバ・システム。
　
【請求項２９】　要求は９０分間隔で送信される度に結合されることを特徴とする請求項２７に記載のサーバ・システム。
　
【請求項３０】　前記サーバ・システムが前記要求を受信した後に、前記要求は、同様の有用性で他のアイテムの注文にける前記特定されたアイテムを含めることを特徴とする請求項１９乃至２９のいずれかに記載のサーバ・システム。
　
【請求項３１】　有用性は、短期間または長期間として類別されることを特徴とする請求項３０に記載のサーバ・システム。
　
【請求項３２】　有用性は、短期間、中間の期間または長期間として類別されることを特徴とする請求項３０に記載のサーバ・システム。
　
【請求項３３】　クライアント・システムを使用してアイテムを注文するコンピュータ・システムを制御する命令を含むコンピュータが読み取り可能な記録媒体あって、
　前記クライアント・システムのクライアント識別子をサーバ・システムから受信し、
　前記クライアント・システムで前記クライアント識別子を永続的にストアし、
　前記アイテムを特定する情報を表示するとともに、前記特定されたアイテムを注文するのに実行すべきシングル・アクションの指示部分を表示し、かつ、
　前記シングル・アクションが実行されることに応答して、前記特定されたアイテムの注文要求を前記サーバ・システムに送信し、かつ、ユーザによって予め与えられた出荷情報と支払い情報とを特定する前記クライアント識別子を自動的に送信することにより、
　前記ユーザが前記アイテムの注文時に前記サーバ・システムにログインする必要がなく、前記予め与えられた出荷情報と支払い情報とを変更する時に前記サーバ・システムにログインする必要があることを特徴とするコンピュータが読み取り可能な記録媒体。
　
　そして、補正前の特許請求の範囲の記載と補正後の特許請求の範囲の記載を精査し、対比すると、補正後の特許請求の範囲の請求項１は補正前の特許請求の範囲の請求項１に対応するものであり、本件手続補正は、特許請求の範囲についてする補正であって、補正前の特許請求の範囲の請求項１を補正後の特許請求の範囲の請求項１とする補正（以下、「本件補正」という。）を含むものと認められる。
　
（２）本件補正の目的
　本件補正が、特許法第１７条の２第４項各号に掲げる事項を目的としたものであるかを検討する。
　まず、本件補正は、特許法第１７条の２第４項第１号の請求項の削除、同第３号の誤記の訂正、同第４号の明りょうでない記載の釈明（拒絶理由通知に係る拒絶の理由に示す事項についてするものに限る。）を目的とするものではないことは明らかである。
　そこで、本件補正が、特許法第１７条の２第４項第２号に掲げる事項である、特許請求の範囲の減縮（第３６条第５項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）を目的とするものであるか否か検討する。
　
　本件補正は、補正前後の請求項１の記載からみて、補正前の特許請求の範囲の請求項１に記載された発明を特定するための事項である「前記クライアント識別子を自動的に送信することにより、ユーザが前記アイテムの注文時に前記クライアント識別子を入力しないこと」を、「ユーザによって予め与えられた出荷情報と支払い情報とを特定する前記クライアント識別子を自動的に送信することにより、前記ユーザが前記アイテムの注文時に前記サーバ・システムにログインする必要がなく、前記予め与えられた出荷情報と支払い情報とを変更する時に前記サーバ・システムにログインする必要があること」とするものである。
　
　そして、上記補正前後の発明を特定するための事項を対比すると、「ログインする必要がない」ということから、「クライアント識別子を入力しない」ということが導かれるわけでもなく、また、「クライアント識別子を入力しない」ということから、「ログインする必要がない」ということが導かれるわけでもないので、両者は互いに独立した直接関係しない事項であり、ましてや、補正後の「ログインする必要がない」という事項は、補正前の「クライアント識別子を入力しない」という事項を下位概念化したものであるとも言えない。
　したがって、本件補正は、特許請求の範囲を減縮するものであって、補正前の特許請求の範囲の請求項に記載した発明を特定するために必要な事項を限定するものとは認められない。
　
　なお、請求人は、平成１４年４月１１日付の審判請求書の手続補正書第２頁最終行〜第３頁第１行において、「請求項１の補正は、補正前の請求項１に、補正前の請求項２および２２〜２８を組み入れて減縮したものです。」と主張しているが、上記検討のとおり、請求項１の補正を減縮と認めることができないばかりでなく、補正前の特許請求の範囲の請求項２及び２２〜２８には、上記補正後の発明を特定する事項を直接記載した部分はなく、補正前の特許請求の範囲の請求項１を引用する他の請求項にも当該発明を特定する事項を直接記載した部分はないのであるから、請求人の主張はことごとく失当である。
　
（３）むすび
　以上のとおりであるから、本件手続補正は、特許法第１７条の２第４項の規定に適合しないので、同法第１５９条第１項で準用する同法第５３条第１項の規定により却下されるべきものである。
　
　
３．本願発明について
　
（１）本願発明
　平成１４年３月６日付の手続補正は上記のとおり決定をもって却下されたので、本願の請求項１に係る発明（以下、「本願発明」という。）は、平成１３年５月１７日付手続補正書の特許請求の範囲の請求項１に記載された事項により特定される、以下のとおりのものである。
　
「クライアント・システムを使用してアイテムを購入する注文方法であって、
　前記クライアント・システムのクライアント識別子をサーバ・システムから受信し、
　前記クライアント・システムで前記クライアント識別子を永続的にストアし、
　前記アイテムを特定する情報を表示するとともに、前記特定されたアイテムを注文するのに実行すべきシングル・アクションの指示部分を表示し、かつ、
　前記シングル・アクションが実行されることに応答して前記特定されたアイテムの注文要求をサーバ・システムに送信し、かつ、前記クライアント識別子を自動的に送信することにより、
　ユーザが前記アイテムの注文時に前記クライアント識別子を入力しないことを特徴とするアイテムを購入する注文方法。」
　
（２）引用例記載の発明
　
（２．１）引用例１の記載事項
　原査定の拒絶の理由において引用された、本願の出願前に国内において頒布された刊行物である特開平９−１１４７８３号公報（平成９年５月２日公開。以下、引用例１という。）には、図面と共に次の事項が記載されている。
　
（ア）全体構成に関する記載事項
「図１は、本発明の情報処理装置を適用したネットワークシステムの構成例を表しており、・・・このシステムにおいても、インターネット３に対して、複数のインフォメーションプロバイダ（ＩＰ）（情報提供者）４−１乃至４−４が接続されている。そして、各端末装置１−１乃至１−３は、通常の電話回線を介して課金プロクシ１１に接続され、課金プロクシ１１がさらにインターネット３に接続されている。インフォメーションプロバイダ４−３は、さらに外部の在庫管理システムに接続されている。」（段落【００１４】）
　
（イ）課金プロクシ及びＩＰアドレスに関する記載事項
「・・・課金プロクシ１１は、常に全ての会員からアクセスを受けているわけではないので、電話回線を介してアクセスポイントに接続してきた端末装置を利用しているユーザに対して、ＩＤとパスワードを入力させ、その端末装置のユーザが会員であるか否かを確認し、会員であることが確認されたとき、その端末装置に対して、その時点において空いているＩＰアドレスを割り当てる。
　このため、課金プロクシ１１のＣＰＵ２１は、図８に示すように、その時点におけるＩＰアドレス割当テーブルを、例えばＲＡＭ２３に記憶させる。そして、所定の端末装置からアクセスが行われたとき、この割当テーブルから未使用のＩＰアドレスを検索し、その端末装置に割り当てる。」（同【００４５】〜【００４６】）
「図１４の処理では、最初にステップＳ１２１において、ＣＰＵ２１は、そのデータを伝送してきた端末装置１−ｉに割り当てられているＩＰアドレスを取得する。・・・次にステップＳ１２２に進み、ＩＰアドレスに対応するユーザＩＤのデータベースから、会員情報（例えばクレジットカードの種類、番号、カード有効期間）を取得する。ＩＰアドレスに対応するユーザＩＤも、図８に示すＩＰアドレス割当テーブルから取得することができる。そして、このユーザＩＤに対応する会員情報（カード有効期間など）は、図７に示すユーザＩＤデータベースから取得することができる。」（同【００６３】）
「ＨＴＴＰの場合、ＷＷＷブラウザからの要求と、それに対応するＷＷＷサーバからの対応までが１つのセッションとなり、これらセッション毎に、回線の接続、切断が行われる。そこで、課金プロクシ１１では、ユーザのＩＰアドレスを監視し、複数のＷＷＷブラウザからの要求を処理することができる。」（同【００９０】）
　
（ウ）端末装置（ＷＷＷブラウザ）とＷＷＷサーバ間の処理に関する記載事項
「端末装置（ＷＷＷブラウザ）１−ｉは、最初にステップＳ７１において、オンラインショッピング事業者（インフォメーションプロバイダ４−ｊ）のメニュー画面（ホームページ）を指定する。」（同【００５２】）
「端末装置１−ｉは、この指定が行われたとき、対応する要求をＷＷＷサーバにむけて出力するが、実際には、予め端末装置に設定された課金プロクシ１１を介して転送されるため、この要求は課金プロクシ１１に入力される。・・・登録されたアクセス会員からのアクセスであるとき、課金プロクシ１１は、ＷＷＷブラウザからの要求を、そのままインターネット３を介してＷＷＷサーバに転送する。
　例えば、ＷＷＷブラウザにより、ディスプレイ４９に、図１２に示すようにショッピングとＶＯＤ（Ｖｉｄｅｏ　Ｏｎ　Ｄｅｍａｎｄ）のボタンが表示されている状態で、カーソル５３が、例えばショッピングのボタン５１上に移動表示されると、ディスプレイ４９のＵＲＬ表示部５２には、このショッピングのボタン５１に対応されているＵＲＬが表示される。そして、使用者が、このショッピングのボタン５１上にカーソル５３が位置する状態においてマウスをクリックすると、ＵＲＬ表示部５２に表示されているＵＲＬに対するアクセス（オンラインショッピングのサーバに対するアクセス）が行われる。
　ＷＷＷサーバは、このメニュー画面（オンラインショッピングのメニュー画面）の転送の要求を受けたとき、ステップＳ７３において、対応するメニュー画面のデータをＷＷＷブラウザに向けて出力する。このデータは、インターネット３を介して課金プロクシ１１に転送される。課金プロクシ１１は、ステップＳ７４において、このメニュー画面のデータの転送を受けると、これをＷＷＷブラウザにさらに転送する。」（同【００５４】〜【００５６】）
　
（エ）商品の選択処理に関する記載事項
「ステップＳ７４において、課金プロクシ１１が、ＷＷＷサーバより転送を受けたメニュー画面のデータを端末装置１−ｉにさらに転送すると、端末装置１−ｉのディスプレイ４９には、例えば図１３に示すように、オンラインショッピングの所定の商品（図１３においては商品Ｗ乃至Ｚ）を購入するためのメニュー画面が表示される。」（同【００５８】）
「・・・メニュー画面上に購入を希望する商品が存在すると判定された場合、ステップＳ７６に進み、そのメニュー画面から購入を希望する商品を選択する。すなわち、図１３の例においては、商品Ｗ乃至Ｚのボタンのうち、所定のボタン上にカーソル５３を移動し、マウスをクリックすることで、商品の選択を行う。
　この選択が行われると、ＷＷＷブラウザは、その選択に対応する信号を課金プロクシ１１に転送する。課金プロクシ１１は、この選択データの供給を受けたとき、この選択データをさらにＷＷＷサーバに転送する処理を、ステップＳ７７において実行する。このステップＳ７７の処理の詳細は、図１４に示されている。」（同【００６１】〜【００６２】）
　
（オ）商品の購入確認画面の処理に関する記載事項
「・・・ＷＷＷサーバは、購入する商品として指定された商品およびその金額を表示した確認画面のデータを生成し、これを課金プロクシ１１に転送する。・・・課金プロクシ１１は、確認の画面データをＷＷＷブラウザに転送する。ＷＷＷブラウザは、ステップＳ８７で、その画面データを受信し、ディスプレイ４９に出力し、表示する。これにより、例えば、図１６に示すような商品購入確認画面が、ディスプレイ４９に表示される。
　この表示例においては、１２００円の商品Ｗと３５００円の商品Ｙが注文され、その合計金額が４７００円になっていることが表示されている。また、その画面の右下には、その商品を購入することに同意するか否かを入力するためのＹＥＳの文字とＮＯの文字がそれぞれ表示されたボタンが表示されている。」
　このように、確認画面のデータには、購入商品の合計金額、明細金額などが、ＨＴＭＬのコメントとして、あるいは、表示データとして記述される。」（同【００７７】〜【００８０】）
　
（カ）商品の購入同意の処理に関する記載事項
「ユーザは、ステップＳ８８において、図１６に示すような確認画面を見て、その商品を購入することに同意するか否かを判定する。・・・
　一方ステップＳ８８において、ユーザは商品の購入に同意すると判定したとき、ステップＳ９４に進み、同意ボタン（図１６における文字ＹＥＳが表示されているボタン）を選択する。このとき、ＷＷＷブラウザは、この同意ボタン選択に対応するＵＲＬの画面の転送を要求する。課金プロクシ１１は、ステップＳ９５でＷＷＷブラウザから同意ボタン選択の指定画面の転送の要求の信号を受信したとき、そのユーザＩＤに対応する、氏名、住所、電話番号などのユーザ情報を、ユーザＩＤデータベースより取得する。そして、ステップＳ９６に進み、ステップＳ９５で取得したユーザ情報とともに、ＷＷＷブラウザより受信した指定画面の転送要求信号をＷＷＷサーバに転送する。
　ＷＷＷサーバは、課金プロクシ１１より同意ボタン選択による指定画面の転送の要求を受けたとき、同意受諾の画面をステップＳ９７で生成し、これを課金プロクシ１１に転送する。また、課金プロクシ１１から伝送されてきたユーザ情報に対応して、商品の配送手続きを実行する。」（同【００８２】〜【００８５】）
　
（キ）個人情報に関する記載事項
「以上の実施例においては、クレジットカードの種類、番号、その所有者の住所、氏名などの情報は、課金プロクシ１１に登録するとき、端末装置１−ｉから電話回線（またはインターネット３）を介して最初に伝送されるに過ぎず、その後の実際の商品あるいはサービスの購入段階では伝送されない。従って、これらの情報が、他人に漏洩し、悪用されるような恐れが少なくなる。」（同【０１０３】）
　
　引用例１には、上記摘記事項（オ）及び（カ）に記載のように、１２００円の商品Ｗと３５００円の商品Ｙを注文する例が記載されている。また、ユーザが商品の購入に同意する同意ボタンを選択すると、端末装置のＷＷＷブラウザは同意ボタン選択に対応するＵＲＬの画面の転送を要求し、ＷＷＷブラウザから同意ボタン選択の指定画面の転送の要求の信号を受信した課金プロクシは、ユーザ情報とともに指定画面の転送要求信号をＷＷＷサーバに転送し、課金プロクシより同意ボタン選択による指定画面の転送の要求を受けたＷＷＷサーバは、ＷＷＷサーバは商品の配送手続きを実行することが記載されているから、引用例１には、端末装置を使用して商品を購入する注文方法が記載されていることは明らかである。また、ユーザが端末装置に割当てられたＩＰアドレスを入力しないことも明らかである。
　
　よって、上記記載からみて、引用例１には、
「端末装置を使用して商品を購入する注文方法であって、
　前記端末装置は、商品を購入するためのメニュー画面を表示するとともに、購入を希望する商品を選択するための商品のボタンを表示し、
　商品のボタン上にカーソルを移動しマウスをクリックすることで、前記商品のボタンが選択されることに応答して、選択された商品のボタンに対応する選択データを課金プロクシに送信し、
　購入する商品として指定された商品およびその金額を表示した商品購入確認画面を表示するとともに、商品の購入に同意するための同意ボタンを表示し、
　前記同意ボタンが選択されることに応答して、同意ボタン選択による指定画面の転送の要求を課金プロクシに送信することにより、
　ユーザが前記商品の購入段階では、端末装置に割り当てられたＩＰアドレスを入力しない商品を購入する注文方法」
（以下、「引用例１に記載された発明」という。）が記載されていると認められる。
　
（２．２）引用例２の記載事項
　また、同じく原査定の拒絶の理由において引用された、本願の出願前に国内において頒布された刊行物である特開平９−１７９９１２号公報（平成９年７月１１日公開。以下、引用例２という。）には、通信販売センタに通信回線を介して商品を注文する通信販売端末装置に関して、図面と共に次の事項が記載されている。
　
「図１４は本発明の通信販売端末装置の第５の実施形態を示すブロック図である。図中、１は通信販売端末装置、２は通信回線、３は通信販売センタ、４はＣＤ−ＲＯＭ、６は表示装置、７は光ディスク、９は不揮発性メモリである。通信販売センタ３は、所定の複数の利用者ごとに、該利用者に関する情報である利用者情報を記憶保持している。ここでも、上述と同様に、利用者情報は、例えば、利用者の住所，氏名，電話番号，クレジットカードのカード番号，銀行の口座番号等を表す各種情報であるようにすることができる。」（段落【０２０５】〜【０２０８】）
「・・・利用者識別情報は、利用者ごとに異なる内容であるので、後述するように、利用者は、通信販売端末装置１と通信販売センタ３との間を通信回線２を介して１回目に接続したときに、通信販売端末装置１から自身の利用者情報を入力して送信し、通信販売業者は、通信販売端末装置１から送信された利用者情報を通信販売センタ３が入手して、利用者との間で通信販売を実施する契約を交わしたときに、該利用者に固有に付与した利用者識別情報および接続情報を通信販売センタ３から通信販売端末装置１に送信すれば、通信販売端末装置１が利用者識別情報および接続情報を不揮発性メモリ９に書き込むことができるようになる。」（同【０２１７】）
「利用者が商品の注文指示の入力を終了すると・・・、再生装置１３は、不揮発性メモリ９に利用者識別情報および接続情報が記憶されているか否かを判定する・・通信販売センタ３との間が通信回線２を介して接続されると、再生装置１３は、不揮発性メモリ９から利用者識別情報を読み出すと共に・・・、注文指示が入力された商品についての注文商品情報を作成する・・・
　続いて、再生装置１３は・・・読み出した利用者識別情報、および、・・・作成した注文商品情報を、通信装置１６に出力することで、これらの情報を通信回線２を介して通信販売センタ３に送信するよう、通信装置１６を制御する・・・
　これにより、通信装置１６は、再生装置１３から出力された利用者識別情報および注文商品情報を、通信回線２を介して通信販売センタ３に送信するので、通信販売センタ３は、通信販売端末装置１から送信された利用者識別情報によって、自身が記憶保持している利用者情報を特定し、商品を注文した利用者を識別することができる。また、通信販売センタ３は、通信販売端末装置１から送信された注文商品情報によって、利用者が注文した商品を識別することができる。」（同【０２２８】〜【０２３６】）
「特に、利用者識別情報および接続情報は、上述した通信販売契約処理によって通信販売端末装置１に内蔵された不揮発性メモリ９に記憶されることから、利用者は、注文商品情報の元となる注文指示を入力だけで、従来は入力する必要があった利用者情報を入力する必要がなくなり、接続情報も入力する必要がなくなる。」（同【０２５５】）
　
　上記記載からみて、通信販売端末装置を使用して商品を注文する注文方法が記載されていることは明らかであるから、引用例２には、
「通信販売端末装置を使用して商品を注文する注文方法であって、
　前記通信販売端末装置の利用者識別情報を通信販売センタから受信し、
　前記通信販売端末装置に内蔵された不揮発性メモリに前記利用者識別情報を記憶し、
　ユーザが商品の注文指示の入力を終了することに応答して注文商品情報を通信販売センタに送信し、かつ、前記利用者識別情報を送信することにより、
　ユーザが前記商品の注文時に利用者情報を入力する
必要がなくなる商品を注文する注文方法。」
（以下、「引用例２に記載された発明」という。）が記載されていると認められる。
　
（２．３）引用例３の記載事項
　また、同じく原査定の拒絶の理由において引用された、本願の出願前に国内において頒布された刊行物である　Alan　Cooper著「ユーザーインターフェイスデザイン」初版（1996.05.25）、第11章、第１１９〜１４４頁（以下、引用例３という。）には、図面と共に次の事項が記載されている。
　
「インタラクションが、たいていはダイアログボックスの形で、不必要にユーザーインターフェイスに入りこむケースがよくある。このような愚行は、プログラムで選択を行う場合によく見られる。」（第１２８頁第２〜４行）
「プログラムが機能を提供する場合、その機能だけ提供すればよく、その組み合わせはいらない。たとえば、何かを印刷する場合、印刷機能を設定するためのダイアログボックスは必要ではない。現在の文書のプリントアウトだけが必要だからである。ページ数や部数を指定して印刷したり、印刷の向きを横にしたりという特別なことをする場合は、「印刷の設定ダイアログボックス」というようなものを呼び出すようにすればよいのである。ユーザーが機能のパラメータを設定する可能性がある場合でも・・・機能を呼び出すという、より頻繁に行われる動作を侵害するものであってはならない。
　Ｗｏｒｄのツールバーにある［印刷］ボタンでは、ダイアログボックスを使わずに、すぐに印刷することができる。多くのユーザーにとってはこれでよい・・・。」（第１２９頁第１２〜２１行）
「たとえば、ほとんどのプログラムで文書を印刷するように命令すると、複雑なダイアログボックスが表示され、さまざまな項目を指定するように要求される。たとえば、印刷部数、用紙の向き・・・このようなオプションはたしかに魅力的だが、文書の印刷だけが必要であり、そのように要求したつもりなのだ。
　［印刷］をするコマンドと、もう１つ［印刷の設定］をするコマンドを設ければ、デザインはずっと合理的になる。［印刷］コマンドはダイアログボックスを表示せずに印刷をするだけで、設定は前回の設定か標準的な設定を使う。」
（第１３８頁第３行〜第１２行）
　
　
（３）本願発明と引用例１に記載された発明との対比
　
　本願発明と引用例１に記載された発明を対比する。
　
（３．１）全体構成
　引用例１に記載された発明の「ユーザ」は、本願発明の「ユーザ」に相当し、引用例１に記載された発明の「商品」はユーザが購入するものであるから、本願発明の「アイテム」に相当する。
　引用例１に記載された発明の「端末装置」は、ユーザが操作して、商品の購入のために使用するものであるから、その点において本願発明の「クライアント・システム」に相当する。
　また、引用例１に記載された発明の「商品の購入段階」は、メニュー画面上でオンラインショッピングのボタンをマウスでクリックすることで開始される処理であるから、本願発明の「アイテムの注文時」に相当する。
　そして、引用例１に記載された発明の「商品を購入する注文方法」は、ユーザがクライアント・システムを使用して商品を購入する方法である点において、本願発明の「アイテムを購入する注文方法」に相当する。
　
（３．２）「クライアント識別子」と「ＩＰアドレス」
　引用例１に記載された発明の「ＩＰアドレス」は、課金プロクシが接続してきた端末装置に対して割り当てて、複数の端末装置を判別するのに用いるものであるから、本願発明の「クライアント識別子」と引用例１に記載された発明の「ＩＰアドレス」は、共に、「クライアント・システムを識別する情報」という上位の概念で表現できるものあって、ユーザがアイテムの注文時に入力しないものである点で共通する。
　
（３．３）「特定されたアイテムの注文要求」と「同意ボタン選択による指定画面の転送の要求」
　引用例１に記載された発明の「同意ボタン選択による指定画面の転送の要求」は、課金プロクシからＷＷＷサーバに転送されることで、ＷＷＷサーバにおいて確認画面で購入することに同意した商品の配送手続きが実行されるものであり、この確認画面で購入することに同意した商品とは、ユーザが商品の購入段階で特定した商品である。
　したがって、引用例１に記載された発明の課金プロキシは、受信した「同意ボタン選択による指定画面の転送の要求」に基いて商品の配送手続きを実行するのではなく、「同意ボタン選択による指定画面の転送の要求」をＷＷＷサーバに転送するものであるが、端末装置側からみれば、「同意ボタン選択による指定画面の転送の要求」はユーザが購入する商品を確定すること、即ち、商品の確定的購入要求に相当し、また、引用例１に記載された発明の「同意ボタン選択による指定画面の転送の要求」は端末装置が課金プロクシに要求するものであって、本願発明の「特定されたアイテムの注文要求」は、クライアント・システムがサーバ・システムに送信するものであるから、引用例１に記載された発明の「同意ボタン選択による指定画面の転送の要求」は、その内容及び要求の転送先からみて、本願発明の「特定されたアイテムの注文要求」に相当する。
　
（３．４）「サーバ・システム」と「課金プロクシ」
　本願発明の「サーバ・システム」は、クライアント・システムが特定されたアイテムの注文要求とクライアント識別子を送信する送信先のシステムであり、引用例１に記載された発明の「課金プロクシ」は、端末装置が指定画面の転送の要求とＩＰアドレスを送信する送信先のシステムであるから、引用例１に記載された発明の「課金プロクシ」は、その機能からみて、本願発明の「サーバ・システム」に相当する。
　
（３．５）「アイテムを特定する情報」と「所定の商品を購入するためのメニュー画面」並びに「特定されたアイテム」と「選択された商品」
　引用例１に記載された発明の「所定の商品を購入するためのメニュー画面」は、ユーザによる商品の購入段階で端末装置が表示する画面であって、ユーザが購入を希望する商品がメニュー画面上に存在すると判定された場合に、その購入を希望する商品の選択を行う（所定のボタンをクリックする）画面である。引用例１に記載された発明では、ユーザが、メニュー画面上に購入を希望する商品が存在するか否かを判定するのであるから、メニュー画面に商品を特定する情報が含まれることは明らかである。
　よって、引用例１に記載された発明の「所定の商品を購入するためのメニュー画面」は、その内容からみて本願発明の「アイテムを特定する情報」に相当する。
　また、引用例１に記載された発明の「選択された商品」は、ユーザが購入を希望して選択した商品であるから、その内容からみて、本願発明の「特定されたアイテム」に相当する。
　
（３．６）「シングル・アクションの指示部分」と「商品のボタン及び同意ボタン」
　本願発明の「シングル・アクションの指示部分」は、特定されたアイテムを注文するのに実行すべきものであり、シングル・アクションが実行されることに応答して、特定されたアイテムの注文要求とクライアント識別子がサーバ・システムに送信されるものである。
　引用例１に記載された発明において、「商品のボタン」は、メニュー画面に表示されたボタンであって、商品ボタン上にカーソルを移動しマウスをクリックするというアクションにより、選択された商品のボタンに対応する選択データを送信するものであり、また、「同意ボタン」は、ユーザによる選択というアクションで、同意ボタン選択による指定画面の転送の要求を送信するものである。そうすると、引用例１に記載された発明の「商品のボタン」及び「同意ボタン」は、本願発明の「シングル・アクションの指示部分」とは、アイテムを特定する情報を表示するとともに表示されるものであり、特定されたアイテムを注文するのに実行すべきアクションの指示部分であるという点で共通している。
　
（３．７）一致点
　以上によれば、本願発明と引用例１に記載された発明は、
「クライアント・システムを使用してアイテムを購入する注文方法であって、
　前記アイテムを特定する情報を表示するとともに、前記特定されたアイテムを注文するのに実行すべき
アクション
　前記アクションが実行されることに応答して前記特定されたアイテムの注文要求をサーバ・システムに送信し、かつ、前記クライアント・システムを識別する情報を自動的に送信することにより、
　ユーザが前記アイテムの注文時に前記クライアント・システムを識別する情報を入力しないことを特徴とするアイテムを購入する注文方法。」
である点で一致し、以下の点で相違する。
　
（３．８）相違点
　
（Ａ）本願発明のクライアント・システムを識別する情報は、サーバ・システムから受信し、クライアント・システムで永続的にストアするのに対して、引用例１に記載された発明のクライアント・システムを識別する情報は、課金サーバから受信し、端末装置で永続的にストアするか否か明記されていない点（以下、相違点（Ａ）という。）。
　
（Ｂ）本願発明のアクションの指示部分は、「シングル・アクションの指示部分」であり、これが実行されることに応答して特定されたアイテムの注文要求をサーバ・システムに送信する構成であるのに対して、引用例１に記載された発明のアクションの指示部分は、「商品のボタン」と「同意ボタン」であって、「商品のボタン」へのアクションが実行された後に、「同意ボタン」へのアクションが実行されることに応答して特定されたアイテムの注文要求をサーバ・システムに送信する構成である点（以下、相違点（Ｂ）という。）。
　
　
（４）当審の判断
　
（４．１）相違点（Ａ）について
　引用例２には、端末装置を使用して商品を注文する注文方法であって、利用者識別情報を通信販売センタから受信し、端末装置に前記利用者識別情報を永続的に記憶し、ユーザのアクションに応答して特定されたアイテムの注文要求と前記利用者識別情報を送信することにより、ユーザが商品を注文するときに利用者識別情報を入力する必要がない方法が記載されている。
　引用例２に記載された発明の「利用者識別情報」は、端末装置を識別する機能を有する情報であるから、引用例１に記載された発明の「ＩＰアドレス」のクライアント・システムを識別する機能の代わりに、それを用いることは当業者が容易に為し得たことである。
　よって、引用例１に記載された発明に引用例２に記載された発明を適用し、クライアント・システムのクライアント識別子をサーバ・システムから受信し、クライアント・システムでクライアント識別子を永続的にストアすることは、当業者が容易に推考できたものと認められる。
　
（４．２）相違点（Ｂ）について
　引用例３には、印刷処理を実行するための［印刷］ボタンをクリックした後に、印刷処理を確認するための確認ボタン（［ＯＫ］ボタン）をクリックするというユーザーインターフェイスの代わりに、印刷処理を実行するボタンをクリックするだけで、印刷処理を実行するユーザーインタフェースを設けること、即ち、特定の処理を実行するためのボタをクリックした後に、当該特定の処理の設定内容を確認するための画面の確認ボタンをクリックするユーザーインターフェイスの代わりに、特定の処理を実行するためのボタンをクリックするだけで（当該特定の処理の設定内容を確認するための画面の表示及び確認ボタンをクリックすることなく、即ち、シングルアクションで）、当該特定の処理を実行するユーザーインターフェイスを設ける発明が記載されている。
　よって、引用例１に記載された発明に引用例３に記載された発明を適用し、引用例１に記載された発明のアクションの指示部分について、「商品のボタン」へのアクションが実行された後に、「同意ボタン」へのアクションが実行されることに応答して特定されたアイテムの注文要求をサーバ・システムに送信する構成を、「商品のボタン」へのアクションが実行されることに応答して特定されたアイテムの注文要求をサーバ・システムに送信する構成とすることは、当業者が容易に推考できたものと認める。
　
（５）むすび
　
　したがって、本願発明は、引用例１乃至３に記載された発明に基いて、当業者が容易に推考できたものと認められるから、特許法第２９条第２項の規定により特許を受けることができない。
　よって、結論のとおり審決する。